(57)【要約】【課題】ユーザの操作負担を軽減させることができるとともに、ランドマークおよび地図の視認性を向上させることができる利便性に優れた「ナビゲーション装置」を提供すること。【解決手段】ランドマーク表示手段３３によって地図１上に表示されている任意のランドマーク２を、当該地図１の表示状態におけるユーザ操作にともなって選択する選択手段３４と、この選択手段３４によって選択された任意のランドマーク２と同種のランドマーク２以外のランドマーク２が地図１上において非表示となるようにランドマーク表示手段３３によるランドマーク２の表示を制御するランドマーク表示制御手段３５とを備えたこと。【選択図】図１
2010101832.tif 000002
【特許請求の範囲】
【請求項１】
表示部に地図を表示する地図表示手段と、
この地図表示手段によって表示されている前記地図上にランドマークを表示するランドマーク表示手段と
を備えたナビゲーション装置であって、
前記ランドマーク表示手段によって前記地図上に表示されている任意のランドマークを、前記地図の表示状態におけるユーザ操作にともなって選択する選択手段と、
この選択手段によって選択された前記任意のランドマークと同種のランドマーク以外のランドマークが前記地図上において非表示となるように前記ランドマーク表示手段による前記ランドマークの表示を制御するランドマーク表示制御手段と
を備えたことを特徴とするナビゲーション装置。
【請求項２】
前記選択手段は、前記ランドマークが表示されている前記地図上に、この地図上におけるユーザが希望する位置をユーザ操作にともなって指示するためのカーソルを表示するように形成されているとともに、前記カーソルによって指示されている前記ユーザが希望する位置に表示されているランドマークを、前記任意のランドマークとして選択可能に形成されていること
を特徴とする請求項１に記載のナビゲーション装置。
【請求項３】
前記選択手段は、前記ランドマークが表示されている前記地図上に、この地図上におけるユーザが希望する位置をユーザ操作にともなって指示するためのカーソルを表示するように形成されているとともに、前記カーソルによって指示されている前記ユーザが希望する位置の周辺の所定範囲の領域内に表示されているランドマークを、前記任意のランドマークとして選択可能に形成されていること
を特徴とする請求項１に記載のナビゲーション装置。
【請求項４】
前記選択手段は、前記ランドマークを操作ボタンの機能を有した状態として前記地図上に表示した上で、前記操作ボタンの機能が操作された前記ランドマークを、前記任意のランドマークとして選択可能に形成されていること
を特徴とする請求項１に記載のナビゲーション装置。
【請求項５】
前記選択手段によって選択された前記任意のランドマークと同種のランドマークは、当該任意のランドマークと同一ブランドのランドマークを含むこと
を特徴とする請求項１乃至請求項４のいずれか１項に記載のナビゲーション装置。
【請求項６】
前記選択手段によって選択された前記任意のランドマークと同種のランドマークは、当該任意のランドマークと同一業種のランドマークを含むこと
を特徴とする請求項１乃至請求項４のいずれか１項に記載のナビゲーション装置。
【発明の詳細な説明】
【技術分野】
【０００１】
本発明は、ナビゲーション装置に係り、特に、地図上にランドマークを表示するのに好適なナビゲーション装置に関する。
【背景技術】
【０００２】
従来から、車載用ナビゲーション装置には、車内モニタに、ユーザが指定した地点（例えば、自車位置）の周辺の地図を表示した上で、この地図上における該当する位置に、当該位置に対応する地点に存在する店舗等の施設を示すアイコン（以下、ランドマークと称する）を重畳表示する機能が備えられていた。このランドマークは、例えば、ブランドロゴや地図記号等の態様で表示されるようになっていた。
【０００３】
また、このようなランドマークを表示する機能を備えた車載用ナビゲーション装置の中には、ブランドごとまたは業種ごとにランドマークの表示または非表示を設定することができる機能を備えたものもあった。このような機能の想定される使用ケースとしては、例えば、自車位置や経路の把握のための目印として活用する場合、ユーザが常時利用する可能性がある施設に限定してランドマークを表示する場合、走行中における任意のタイミングで自車位置周辺のユーザが希望する施設を確認したい場合および地図上のアクセサリとして使用する場合等が挙げられる。
【０００４】
【特許文献１】特開２００２−３９７７８号公報
【特許文献２】特開２００６−２７５６６２号公報
【特許文献３】特開２００７−１２８３２９号公報
【特許文献４】特開２００７−１７２６９号公報
【発明の開示】
【発明が解決しようとする課題】
【０００５】
しかしながら、従来の車載用ナビゲーション装置においては、前述した各使用ケースにおいて、ユーザが使い勝手が悪いと感じる場面が多数存在していた。
【０００６】
例えば、図４においては、地図１上に、一般ユーザが比較的使用する可能性が高い施設として、コンビニ、ファミリーレストラン、ファーストフードおよびガソリンスタンドの各施設のランドマーク２が重畳表示されている。なお、図４において、同一ブランドの施設を示すランドマーク２には、同一の文字表記がなされている。また、図４において、同一業種の施設を示すランドマーク２には、同一の業種を示す文字表記（例えば、コンビニ）がなされている。
【０００７】
しかしながら、この図４に示すような施設密集地域においては、地図１上に表示されるランドマーク２の個数が多すぎることにより、地図１中の道路３や自車位置を示す自車位置マーク４が非常に見づらくなってしまっていた。
【０００８】
また、図５（ａ）に示すように、自車位置周辺の地図１を表示した状態における走行中に、任意のタイミング（図５（ａ）では、ガソリンの残量が少ないことに気付いた時点）で、希望する施設（図５（ａ）におけるガソリンスタンド）を地図１上で確認したいと思う場合は少なくない。
【０００９】
このような場合に、地図１上に表示されているランドマーク２の個数が多すぎると、図５（ｂ）に示すように、ユーザが希望する施設を確認することが極めて困難になる。
【００１０】
したがって、このような場合には、図５（ｂ）、（ｃ）に示すように、地図１上に表示されるランドマーク２をユーザが希望する施設のランドマーク２に限定するために、ランドマーク２の設定画面５に遷移して、この設定画面５における操作ボタン６の操作によって、ランドマーク２の表示または非表示を設定することが行われていた。
【００１１】
したがって、図５のケースでは、ユーザに、現在のランドマーク２が表示されている地図１の画面から設定画面５へと遷移するための操作および設定画面５における各ランドマークの表示／非表示の設定操作といった煩雑な操作を強いる結果となっていた。
【００１２】
そこで、本発明は、このような点に鑑みなされたものであり、ユーザの操作負担を軽減させることができるとともに、ランドマークおよび地図の視認性を向上させることができる利便性に優れたナビゲーション装置を提供することを目的とするものである。
【課題を解決するための手段】
【００１３】
前述した目的を達成するため、本発明に係るナビゲーション装置は、表示部に地図を表示する地図表示手段と、この地図表示手段によって表示されている前記地図上にランドマークを表示するランドマーク表示手段とを備えたナビゲーション装置であって、前記ランドマーク表示手段によって前記地図上に表示されている任意のランドマークを、前記地図の表示状態におけるユーザ操作にともなって選択する選択手段と、この選択手段によって選択された前記任意のランドマークと同種のランドマーク以外のランドマークが前記地図上において非表示となるように前記ランドマーク表示手段による前記ランドマークの表示を制御するランドマーク表示制御手段とを備えたことを特徴としている。
【００１４】
そして、このような構成によれば、ランドマーク表示制御手段の制御により、選択手段によって地図の表示状態において選択されたランドマークと同種のランドマーク以外のランドマークを地図上において非表示とすることができるので、簡便な操作によって、ユーザが希望するランドマークに限定した表示に切り替えることが可能となる。
【００１５】
また、前記選択手段は、前記ランドマークが表示されている前記地図上に、この地図上におけるユーザが希望する位置をユーザ操作にともなって指示するためのカーソルを表示するように形成されているとともに、前記カーソルによって指示されている前記ユーザが希望する位置に表示されているランドマークを、前記任意のランドマークとして選択可能に形成されていてもよい。
【００１６】
そして、このような構成によれば、カーソルを用いてユーザが希望するランドマークが表示されている地図上の位置を特定することによって、ユーザが希望するランドマークを地図の表示状態においてさらに簡便に選択することが可能となる。
【００１７】
さらに、前記選択手段は、前記ランドマークが表示されている前記地図上に、この地図上におけるユーザが希望する位置をユーザ操作にともなって指示するためのカーソルを表示するように形成されているとともに、前記カーソルによって指示されている前記ユーザが希望する位置の周辺の所定範囲の領域内に表示されているランドマークを、前記任意のランドマークとして選択可能に形成されていてもよい。
【００１８】
そして、このような構成によれば、カーソルを用いてユーザが希望するランドマークが表示されている地図上の領域を特定することによって、ユーザが希望するランドマークを地図の表示状態においてより簡便に選択することが可能となる。
【００１９】
さらにまた、前記選択手段は、前記ランドマークを操作ボタンの機能を有した状態として前記地図上に表示した上で、前記操作ボタンの機能が操作された前記ランドマークを、前記任意のランドマークとして選択するように形成されていてもよい。
【００２０】
そして、このような構成によれば、ランドマークの操作ボタンの機能を用いてユーザが希望するランドマークを地図の表示状態においてさらに簡便に選択することが可能となる。
【００２１】
また、前記選択手段によって選択されたランドマークと同種のランドマークは、当該ランドマークと同一ブランドのランドマークを含んでいてもよい。
【００２２】
そして、このような構成によれば、簡便な操作により、ユーザが希望するブランドに限定したランドマークの表示に切り替えることが可能となる。
【００２３】
さらに、前記選択手段によって選択されたランドマークと同種のランドマークは、当該ランドマークと同一業種のランドマークを含んでいてもよい。
【００２４】
そして、このような構成によれば、簡便な操作により、ユーザが希望する業種に限定したランドマークの表示に切り替えることが可能となる。
【発明の効果】
【００２５】
本発明によれば、ユーザの操作負担を軽減させることができるとともに、ランドマークおよび地図の視認性を向上させることができ、利便性を向上させることができる。
【発明を実施するための最良の形態】
【００２６】
以下、本発明に係るナビゲーション装置としての車載用ナビゲーション装置の実施形態について、図１乃至図３を参照して説明する。
【００２７】
なお、従来と基本的構成が同一もしくはこれに類する箇所については、同一の符号を用いて説明する。
【００２８】
図１に示すように、本実施形態における車載用ナビゲーション装置１０は、大別して、現在地から目的地まで自車両を誘導するナビゲーションのための主たる処理や制御を行うナビゲーションメインユニット１１と、このナビゲーションメインユニット１１にそれぞれ接続されたＧＰＳレシーバ１２、地図データ記憶装置１４、入力操作部１５、表示部としてのディスプレイ１６およびスピーカ１７とによって構成されている。
【００２９】
ＧＰＳレシーバ１２は、ＧＰＳ衛星１８から、軌道および時刻に関する情報（以下、ＧＰＳ情報と称する）を受信し、受信されたＧＰＳ情報をナビゲーションメインユニット１１に入力するようになっている。
【００３０】
地図データ記憶装置１４には、車載用ナビゲーション装置１０の各種の機能を実行させるための地図データが記憶されており、この地図データは、地図表示機能および経路誘導機能の実行に用いられる道路データおよび背景データと、経路探索機能の実行に用いられる経路計算データと、施設の検索機能およびランドマーク表示機能の実行に用いられる検索データとを有している。
【００３１】
この地図データ記憶装置１４は、例えば、ハードディスクドライブやＤＶＤが搭載されたＤＶＤドライブであってもよい。
【００３２】
また、入力操作部１５は、ユーザが、車載用ナビゲーション装置１０に対する入力操作（ユーザ操作）を行うことができるものであればよく、例えば、リモコン、リニアエンコーダ、ロータリエンコーダまたはディスプレイ１６のタッチパネルであってもよい。
【００３３】
次に、ナビゲーションメインユニット１１についてさらに詳述する。
【００３４】
図１に示すように、ナビゲーションメインユニット１１は、主制御部としてのナビＣＰＵ２０を有しており、このナビＣＰＵ２０は、所定の実行プログラムを実行することによって、前述した車載用オーディオ再生装置１０の各種の機能を実現させるようになっている。
【００３５】
ナビＣＰＵ２０には、前述したＧＰＳレシーバ１２が接続されており、このＧＰＳレシーバ１２からのＧＰＳ情報が、ナビＣＰＵ２０に入力されるようになっている。
【００３６】
また、ナビＣＰＵ２０には、ジャイロセンサ等の自律航法センサ２１が接続されており、この自律航法センサ２１は、自車両の車速、角速度および自車方位等を検出し、検出結果をナビＣＰＵ２０に入力するようになっている。
【００３７】
さらに、ナビＣＰＵ２０には、システムバス２２を介して地図データ記憶装置１４が接続されている。
【００３８】
さらにまた、ナビＣＰＵ２０には、システムバス２２および画像インターフェース（Ｉ／Ｆ）２３を介してディスプレイ１６が接続されている。
【００３９】
また、ナビＣＰＵ２０には、システムバス２２およびユーザインターフェース（Ｉ／Ｆ）２４を介して入力操作部１５が接続されている。
【００４０】
さらに、ナビＣＰＵ２０には、音声インターフェース（Ｉ／Ｆ）２６を介してスピーカ１７が接続されている。
【００４１】
さらにまた、ナビＣＰＵ２０には、システムバス２２を介してメモリ２７が接続されており、このメモリ２７には、ナビＣＰＵ２０の実行プログラムが記憶されている。また、メモリ２７には、ナビＣＰＵ２０による処理結果および地図データ記憶装置１４から読み出された地図データが一時的に記憶されるようになっている。このメモリ２７は、ＳＤＲＡＭやFlashＲＯＭ等からなるものであってもよい。
【００４２】
ナビＣＰＵ２０は、その機能ブロックの１つとして、自車位置算出部２９を有しており、この自車位置算出部２９は、ＧＰＳレシーバ１２から入力されたＧＰＳ情報および自律航法センサ２１から入力された検出結果を適宜用いることによって、自車位置を算出するようになっている。なお、この自車位置の算出の際に、自車位置算出部２９は、地図データ記憶装置１４から地図データを読み出し、読み出された地図データを用いることによって、自車位置を地図データにおける該当する道路上の位置に補正するマップマッチング処理を行うようになっている。そして、自車位置算出部２９は、マップマッチング処理が適正に行われた場合には、マップマッチング処理後の自車位置を最終的な算出結果とするようになっている。
【００４３】
また、ナビＣＰＵ２０は、その機能ブロックの１つとして、地図表示手段としての地図描画部３０を有しており、この地図描画部３０は、地図データ記憶装置１４から地図データを読み出し、読み出された地図データを用いることによって、自車位置算出部２９によって算出された自車位置の周辺の地図１（図２参照）の描画データを生成するようになっている。そして、地図描画部３０は、生成された地図１の描画データを、画像インターフェース２３を介してディスプレイ１６に出力することによって、ディスプレイ１６上に地図１を表示するようになっている。
【００４４】
なお、地図描画部３０は、地図１の表示画面に対して、ユーザが、入力操作部１５を用いた画面スクロールを行った場合には、画面スクロールにあわせてディスプレイ１６に表示される地図１を変更するようになっている。
【００４５】
さらに、ナビＣＰＵ２０は、その機能ブロックの１つとして、自車位置描画部３１を有しており、この自車位置描画部３１は、自車位置算出部２９の算出結果に基づいて、ディスプレイ１６に表示された地図１上における自車位置を示す自車位置マーク４の描画データを生成するようになっている。そして、自車位置描画部３１は、生成された自車位置マーク４の描画データを、画像インターフェース２３を介してディスプレイ１６に出力することによって、地図１上に自車位置マーク４を重畳表示するようになっている。
【００４６】
さらにまた、ナビＣＰＵ２０は、その機能ブロックの１つとして、ランドマーク表示手段としてのランドマーク描画部３３を有しており、このランドマーク描画部３３は、地図データ記憶装置１４から地図データを読み出し、読み出された地図データを用いることによって、ディスプレイ１６に表示された地図１に相当する地域内に存在する施設のランドマーク２の描画データを生成するようになっている。そして、ランドマーク描画部３３は、生成されたランドマーク２の描画データを、画像インターフェース２３を介してディスプレイ１６に出力することによって、地図１上における該当する位置に、ランドマーク２を重畳表示するようになっている。
【００４７】
また、ナビＣＰＵ２０は、その機能ブロックの１つとして、選択手段としてのランドマーク選択部３４を有している。このランドマーク選択部３４は、ランドマーク描画部３３によって地図１上に表示されているランドマーク２の中から、限定表示の対象となる任意のランドマーク２（以下、対象ランドマークと称する）を、当該地図１の表示状態における入力操作部１５を用いたユーザ操作にともなって選択するようになっている。
【００４８】
さらに、ナビＣＰＵ２０は、その機能ブロックの１つとして、ランドマーク表示制御手段としてのランドマーク描画制御部３５を有している。このランドマーク描画制御部３５は、ランドマーク選択部３４によって選択された対象ランドマークと同種のランドマーク２以外のランドマーク２が地図１上において非表示となるように、ランドマーク描画部３３によるランドマーク２の表示を制御するようになっている。
【００４９】
したがって、本実施形態によれば、従来のような設定画面５（図５（ｃ）参照）に遷移する操作を要することなく、地図１の表示状態におけるユーザ操作にともなって、対象ランドマークのみを地図１上に限定表示することができる。
【００５０】
なお、ランドマーク選択部３４は、ランドマーク２が表示されている地図１上に、この地図１上におけるユーザが希望する位置を入力操作部５を用いたユーザ操作（入力操作）にともなって指示するためのカーソルを表示した上で、当該カーソルによって指示されている前記ユーザが希望する位置に表示されているランドマーク２を対象ランドマークとして選択するようにしてもよい。なお、このように、カーソルによって指示されている位置に表示されているランドマーク２を対象ランドマークとして選択する操作は、このランドマーク２上に位置されているカーソルに対するタッパネルを用いたタッチ操作や、地図１上にカーソルとは個別に表示されている決定ボタンの操作等の地図１上における決定操作をともなうものであってもよい。また、カーソルの形状としては、十字状等の種々の形状を採用することができる。
【００５１】
そして、このような構成によれば、カーソルを用いてユーザが希望するランドマーク２が表示されている地図１上の位置を特定することによって、ユーザが希望するランドマーク２を地図１の表示状態においてさらに簡便に選択することが可能となる。
【００５２】
また、これ以外にも、ランドマーク選択部３４は、前述したカーソルによって指示されているユーザが希望する位置の周辺の所定範囲の領域内に表示されているランドマーク２を対象ランドマークとして選択するようにしてもよい。なお、この場合には、ユーザが、カーソルによって指示されている位置の周辺の所定範囲の領域を把握するための画像（例えば、当該所定範囲の領域を包囲する枠）を表示するようにしてもよい。また、この場合においても、対象ランドマークを選択する操作が、カーソルに対するタッチパネルを用いたタッチ操作等の決定操作をともなうものであってもよい。
【００５３】
そして、このような構成によれば、カーソルを用いてユーザが希望するランドマーク２が表示されている地図１上の領域を特定することによって、ユーザが希望するランドマーク２を地図１の表示状態においてより簡便に選択することが可能となる。
【００５４】
さらに、これ以外にも、ランドマーク選択部３４は、ランドマーク描画部３３によって生成されるランドマーク２の描画データに、操作ボタンとしての機能を付与することによって、ランドマーク２を操作ボタンの機能を有した状態として前記地図１上に表示した上で、操作ボタンの機能が操作されたランドマーク２を対象ランドマークとして選択するようにしてもよい。
【００５５】
そして、このような構成によれば、ランドマーク２における操作ボタンの機能を用いてユーザが希望するランドマーク２を地図１の表示状態においてさらに簡便に選択することが可能となる。
【００５６】
また、対象ランドマークと同種のランドマーク２は、対象ランドマークによって示される施設と同一ブランドの施設を示すランドマーク２（すなわち、同一ブランドのランドマーク）であってもよく、または、対象ランドマークによって示される施設と同一業種の施設を示すランドマーク２（すなわち、同一業種のランドマーク）であってもよい。
【００５７】
上記構成以外にも、ナビＣＰＵ２０は、その機能ブロックの１つとしての操作画面描画部３７を有しており、この操作画面描画部３７は、メニュー画面、目的地設定用の操作画面等の種々の操作画面の描画データを生成し、生成された描画データをディスプレイ１６に出力することによって、操作画面を表示するようになっている。
【００５８】
また、ナビＣＰＵ２０は、その機能ブロックの１つとしての目的地設定部３８を有しており、この目的地設定部３８は、目的地設定用の操作画面に対する入力操作部１５を用いたユーザの入力操作結果に対応した目的地を設定するようになっている。
【００５９】
さらに、ナビＣＰＵ２０は、その機能ブロックの１つとしての経路探索部３９を有しており、この経路探索部３９は、目的地設定部３８によって設定された目的地までの経路を探索するようになっている。
【００６０】
さらにまた、ナビＣＰＵ２０は、その機能ブロックの１つとしての経路誘導部４０を有しており、この経路誘導部４０は、経路探索部３９によって探索された経路に沿って自車両を目的地まで経路誘導（ルート案内）するようになっている。この経路誘導は、ディスプレイ１６への案内画像（交差点拡大画像等）の表示やスピーカ１７からの案内音声（例えば、交差点右左折案内等）の出力によって行われるようになっている。
【００６１】
次に、本実施形態の基本的な作用について、具体例を用いて説明する。
【００６２】
なお、便宜上、初期状態において、ディスプレイ１６には、図２（ａ）に示すように、地図描画部３０によって地図１の画面が表示されているとともに、この地図１上に、自車位置描画部３１によって自車位置マーク４が、ランドマーク描画部３３によってランドマーク２が、それぞれ重畳表示されているものとする。
【００６３】
また、このとき、画面の中央には、ランドマーク選択部３４によって十字状のカーソル４１が表示されているものとする。
【００６４】
なお、図２（ａ）におけるカーソル４１は、その表示位置が画面中央になるように固定されており、ユーザが入力操作部５を用いて地図１上における画面中央以外の地点を指定する操作（例えば、タッチパネルのタッチ操作）を行うと、指定された地点がカーソル４１の位置（画面中央）に変位するように地図１全体が地図１上のランドマーク２とともにスクロールされることで、カーソル４１による地図１上の指示位置が変更されるようになっている。
【００６５】
ただし、このような構成に限定されるものではなく、例えば、カーソル４１自体を地図１上における任意の地点上に入力操作部１５の操作にともなって移動させるように構成してもよい。その場合には、常に自車位置マーク４を画面上に表示させておくことができ、地図１上におけるユーザが希望する位置と自車位置との関係をユーザが常時把握することができる。
【００６６】
また、カーソル４１は、地図表示の際に常時表示されるものであってもよく、地図１上にランドマーク２を表示するためのユーザ操作が行われた際に、ランドマーク２と同時に自動的に表示されるものであってもよく、あるいは、ランドマーク描画制御部３５によるランドマーク２の限定表示に移行するための地図１の表示状態におけるユーザ操作（例えば、地図１上に表示された限定表示に移行するための操作ボタンの操作）が行われてはじめて表示されるものであってもよい。
【００６７】
そして、初期状態から、ユーザが、入力操作部１５を用いて地図１上における画面中央以外の所定の地点Ｐを指定する操作を行う。
【００６８】
ここで、図２（ａ）に示すように、前記所定の地点Ｐは、石油販売業者のＡ石油が経営するガソリンスタンド（スタンドＡ）と、石油販売業者のＢ石油が経営するガソリンスタンド（スタンドＢ）との近傍とされている。
【００６９】
そして、このような地図１上の所定の地点Ｐを指定する操作が行われると、図２（ｂ）に示すように、地図描画部３０およびランドマーク描画部３３により、地図１全体がランドマーク２とともにスクロールされて、所定の地点Ｐがカーソル４１による指示位置（画面中央）へと変位する。
【００７０】
次いで、この図２（ｂ）において、ユーザが、入力操作部１５を用いてカーソル４１に対する決定操作（例えば、タッチパネルにおけるカーソル４１のタッチ操作）を行うと、図２（ｂ）に示すように、ランドマーク選択部３４により、図中の破線枠で囲まれるカーソル４１の周辺の所定範囲の領域Ｒ内に表示されているスタンドＡおよびスタンドＢのランドマーク２が、対象ランドマークとして選択される。
【００７１】
そして、このように、対象ランドマークが選択されると、図２（ｃ）に示すように、図２（ａ）に示した自車位置周辺の地図１へと自動的にスクロールされた上で、ランドマーク描画制御部３５の制御により、地図１上に表示されるランドマーク２が、対象ランドマークとしてのスタンドＡおよびスタンドＢのランドマーク２のみに限定される。
【００７２】
このように限定表示が行われた地図１は、ランドマーク２の視認性はもとより、地図１中の道路３や自車位置マーク４の視認性も良好なものとなっているため、ユーザは、最寄りのスタンドＡまたはスタンドＢを迅速かつ適切に把握することができる。
【００７３】
以上述べたように、本実施形態によれば、ランドマーク描画制御部３５の制御により、ランドマーク選択部３４によって地図１の表示状態において選択されたランドマーク２と同種のランドマーク２以外のランドマーク２を地図１上において非表示とすることができるので、簡便な操作によって、ユーザが希望するランドマークに限定した表示に切り替えることができる。
【００７４】
なお、本発明は、前述した実施の形態に限定されるものではなく、必要に応じて種々の変更が可能である。
【００７５】
例えば、本発明は、車載用ナビゲーション装置以外のナビゲーション装置にも適用可能なものである。
【００７６】
例えば、ランドマーク選択部３４は、図２（ｂ）に示したカーソル４１に対する決定操作が行われた後に、図３（ａ）に示すように、対象ランドマークと同一ブランドのランドマークまたは対象ランドマークと同一業種のランドマークのいずれの限定表示に移行するかを選択するための操作画面４２を表示するようにしてもよい。
【００７７】
この場合に、入力操作部１５を用いたユーザ操作によって同一ブランドのランドマークの限定表示が選択された場合には、ランドマーク描画制御部３５の制御により、図２（ｃ）に示したものと同様の限定表示を行えばよい。また、同一業種のランドマークの限定表示が選択された場合には、図３（ｂ）に示すように、対象ランドマークと同一業種（図３におけるガソリンスタンド）のすべてのランドマークが表示されるようにすればよい。
【図面の簡単な説明】
【００７８】
【図１】本発明に係るナビゲーション装置としての車載用ナビゲーション装置の実施形態を示すブロック図
【図２】本実施形態における車載用ナビゲーション装置によって表示される画面において、（ａ）は、便宜上の初期画面を、（ｂ）は、ランドマーク選択画面を、（ｃ）は、ランドマーク限定表示画面を示す図
【図３】本実施形態における車載用ナビゲーション装置の図２と異なる実施形態において、（ａ）は、対象ランドマークと同一ブランドのランドマークの限定表示または対象ランドマークと同一業種のランドマークの限定表示を選択するための操作画面の表示状態を示し、（ｂ）は、対象ランドマークと同一業種のランドマークの限定表示状態を示す図
【図４】従来のランドマーク表示の問題点の一例を示す図
【図５】従来のランドマーク表示の問題点の他の一例を（ａ）〜（ｃ）の工程を用いて順次説明するための説明図
【符号の説明】
【００７９】
１０  車載用ナビゲーション装置
３０  地図描画部
３３  ランドマーク描画部
３４  ランドマーク選択部
３５  ランドマーク描画制御部
【図１】
2010101832.tif 000003
【図２】
2010101832.tif 000004
【図３】
2010101832.tif 000005
【図４】
2010101832.tif 000006
【図５】
2010101832.tif 000007